(57)【要約】【課題】  連結箇所に締結したとき振動や衝撃を充分に吸収して緩みや破損や損傷する心配がなく、振動や衝撃を受けた後もそのまま防振機能を保持させて使用することができ、更に、使用方法も通常のボルトと変わらずきわめて簡単で、しかも、耐久性にも優れた緩衝ワッシャ付きボルトを提供する。【解決手段】  ボルト１の頭部底面１４に固定された固定ワッシャ３と、底面中央に形成した嵌挿孔において固定ワッシャ３の先端側において軸体１１に嵌挿された固定ワッシャ３とほぼ同径の有底筒形で開口端縁に内方に向けた固定ワッシャ３の基端面へ係止する係止突起４３を有するカバー体４と、カバー体４内側に位置する軸体１１部分に軸線方向に移動可能に嵌挿されたカバー体４の内径よりも小径の移動ワッシャ５、カバー体４の内側周面に沿って配置される所定の高さを有する筒状の規制部材７、規制部材７の内側において軸体１１に嵌挿されて固定ワッシャ３と移動ワッシャ５との間に架設される弾性体６とからなる 。【選択図】  図２
2006052823.tif 000002
【特許請求の範囲】
【請求項１】
軸体の先端に螺締溝を形成するとともに軸体の基端に頭部を有するボルトの頭部底面に緩衝ワッシャが付設されている緩衝ワッシャ付きボルトであって、前記緩衝ワッシャは前記頭部底面に固定された固定ワッシャと、底面中央に形成した嵌挿孔において固定ワッシャの先端側において前記軸体に嵌挿された前記固定ワッシャとほぼ同径の有底筒形で開口端縁に内方に向けた前記固定ワッシャの基端面へ係止する係止突起を有するカバー体と、前記カバー体の内側に位置する軸体部分に軸線方向に移動可能に嵌挿された前記カバー体の内径よりも小径の移動ワッシャと、前記カバー体の内側周面に沿って配置される所定の高さを有する筒状の規制部材と、前記規制部材の内側において軸体に嵌挿されて前記固定ワッシャと移動ワッシャとの間に架設される弾性体とからなることを特徴とする緩衝ワッシャ付きボルト。
【請求項２】
前記弾性体が皿ばねである請求項１記載の緩衝ワッシャ付きボルト。
【発明の詳細な説明】
【技術分野】
【０００１】
本発明は、ボルトの頭部に緩衝ワッシャを付設した緩衝ワッシャ付きボルトに関するものである。
【背景技術】
【０００２】
従来、構造物、建築物、設置物、配管などの継手部など各種の連結箇所にボルトとを用いた締結具か用いられている。
【０００３】
ところが、前記連結箇所に地震を始めとして各種の振動や衝撃などが連続的或いは瞬間的に加わると連結箇所に連続的に或いは瞬間的に作用して締結しているボルトやナットが緩んだり、破損・変形したりするおそれがあり、その結果、構造物、建築物などにも多大な被害が及ぶことになる。
【０００４】
そこで、例えば、特開平９−１７７７４６号公報、特開平１１−２９４４３８号公報、特開２００３−１５６０２５号公報などに、ボルト軸に緩衝体を嵌挿することにより振動や衝撃によるボルトやナットなどの損傷や緩みを防止しようとするものが提示されている。
【０００５】
しかしながら、前記公報に提示されている防止手段は、振動や衝撃に対する効果が充分でなかったり、復元力に欠けたり、更には、締結手段が複雑であったり、再利用が困難であるなどの多くの問題点を有していた。
【０００６】
また、特開２００１−１２４０４４号公報、特開２００２−３０３３１４号公報などに弾性材を用いて形成したワッシャを付設したボルトが提示されている。
【０００７】
ところが、これらのワッシャはゴム材や樹脂材などにより形成されているので使用環境や経時的に変質、劣化するという問題がある。
【特許文献１】特開平９−１７７７４６号公報
【特許文献２】特開平１１−２９４４３８号公報
【特許文献３】特開２００３−１５６０２５号公報
【特許文献４】特開２００１−１２４０４４号公報
【特許文献５】特開２００２−３０３３１４号公報
【発明の開示】
【発明が解決しようとする課題】
【０００８】
本発明が解決しようとする課題は、連結箇所に締結したとき振動や衝撃を充分に吸収して緩みや破損や損傷する心配がなく、多大な復元力により元の状態に復帰するので振動や衝撃を受けた後もそのまま防振機能を保持させて使用することができ、更に、使用方法も通常のボルトと変わらずきわめて簡単で、しかも、耐久性にも優れた緩衝ワッシャ付きボルトを提供するものである。
【課題を解決するための手段】
【０００９】
前記課題を解決するため、本発明である緩衝ワッシャ付きボルトは、軸体の先端に螺締溝を形成するとともに軸体の基端に頭部を有するボルトの頭部底面に緩衝ワッシャが付設されている緩衝ワッシャ付きボルトであって、前記緩衝ワッシャは前記頭部底面に固定された固定ワッシャと、底面中央に形成した嵌挿孔において固定ワッシャの先端側において前記軸体に嵌挿された前記固定ワッシャとほぼ同径の有底筒形で開口端縁に内方に向けた前記固定ワッシャの基端面へ係止する係止突起を有するカバー体と、前記カバー体の内側に位置する軸体部分に軸線方向に移動可能に嵌挿された前記カバー体の内径よりも小径の移動ワッシャと、前記カバー体の内側周面に沿って配置される所定の高さを有する筒状の規制部材と、前記規制部材の内側において軸体に嵌挿されて前記固定ワッシャと移動ワッシャとの間に架設される弾性体とからなることを特徴とする。
【００１０】
また、前記弾性体が皿ばねであると好ましい。
【発明の効果】
【００１１】
本発明によれば、締結時における振動や衝撃に対する効果が充分で緩んだり、破損、損傷する心配がなく、復元力も確実で再使用も可能であるばかりか保管や現場での使用方法も従来のボルトと同様であって特別な負担がない。また、構造も複雑でなく製造、保守などもきわめて容易であるばかりか耐久性にも優れている。
【発明を実施するための最良の形態】
【００１２】
次に、本発明を実施するための最良の形態について説明する。
【００１３】
図１および図２は本発明の好ましい実施の形態を示すものであり、本発明である緩衝ワッシャ付きボルト１は、従来のボルトとほぼ同様に軸体１１の先端にナット２などを螺締するためのの螺締溝１２を形成するとともに軸体１１の基端に六角柱の頭部１３を有する。
【００１４】
そして、軸体１１の頭部底面１４には緩衝ワッシャＷが付設されている。この緩衝ワッシャＷは、頭部１３の底面１４に固定された固定ワッシャ３と、底面４１の中央に形成した嵌挿孔４２において固定ワッシャ３の先端側において軸体１１に嵌挿された前記固定ワッシャ３とほぼ同径の有底筒形で開口端縁に内方に向けた前記固定ワッシャ３の基端面３１へ係止する係止部４３を有するカバー体４と、このカバー体４の内側に位置する軸体１１部分に軸線方向に移動可能に嵌挿されたカバー体４の内径よりも小径の移動ワッシャ５と、カバー体４の内側周面４４に沿って配置される所定の高さを有する筒状の規制部材７と、規制部材７の内側において軸体１１に嵌挿されて固定ワッシャ３と移動ワッシャ５との間に架設される弾性体６とから構成される。
【００１５】
更に、詳しく説明すると、軸体１１の頭部底面１４に隣接する位置にブレス加工などによって肉盛りされた多数の縦溝１５が周面にわたって所定間隔で形成されており、この縦溝１５部分に所定の径を有する固定ワッシャ３をその中心に形成された軸孔３２を圧入することにより頭部底１４に沿って固定されている。
【００１６】
また、軸体１１には前記固定ワッシャ３の先端側には少なくとも前記固定ワッシャ３よりも小さい所定径を有する２枚の皿ばね６１，６１からなる弾性体６が各皿ばね６１，６１のそれぞれの中心に形成された軸孔６２，６２を介して嵌挿されており、更に、その先端側に移動ワッシャ５が中心に形成された軸孔５１により軸体１１に嵌挿されている。
【００１７】
更に、軸体１１の基端側には前記固定ワッシャ３とほぼ同径の内径を有する有底筒形で開口端縁を内方に向けてかしめることにより前記固定ワッシャ３の基端面３１へ係止する係止部４３を有するカバー体４が底面４１に形成された軸孔４２を介して前記固定ワッシャ３、弾性体６および移動ワッシャ５を内包させた状態で且つ軸体１１に嵌挿されており、更に、前記カバー体４の内側周面４４に沿って所定の高さ、即ち、少なくともカバー体４の高さよりも低く固定ワッシャ３との間に所定の隙間４５が形成される高さを有する筒状の規制部材７が収装されている。
【００１８】
以上の構成を有する本実施の形態を使用するには、図２に示すように例えば構造物８，９に連通して形成されたネジ孔８１，９１にボルト１を構造物８側から差し込み、構造物９から突き出したに軸体１１の先端に形成された螺締溝１２にワッシャ１０を介してナット２を締め付ければよく、ボルト１とナット２との締付け力を弾性体６の反発力で支えるので構造物８，９は確実に連結されることになる。
【００１９】
この状態で、構造物８，９に振動や衝撃が加わると、ボルト１はナット２により締め付けた状態であり、振動などにより加えられた過負荷が、構造物８に接しているカバー体４、移動ワッシャ５、弾性体６に加えられ、それまで移動ワッシャ５と固定ワッシャ３との間に介在して両者を互いに反発する方向へ付勢していた弾性体６が歪んで、その分だけ移動ワッシャ５、弾性体６およびカバー体４がボルト１の基端、つまり頭部１３方向へ移動することにより過負荷を吸収するので構造物８，９は勿論のこと、ボルト１やナット２が緩んだり、変形、損傷することがない。
【００２０】
そして、過負荷がなくなると弾性体６の復元力によってナット２が固定されていた元の位置まで戻ることになる。
【００２１】
従って、予め、カバー体４の高さや弾性体６の付勢力等を過負荷に対して設定しておくことにより、確実に振動や衝撃に対処することができる。
【００２２】
また、本実施の形態では、カバー体４の内部には内周面に沿って所定の高さを有する筒状の規制部材７が配置されており、加えられる過負荷が所期の値を超えた場合には規制部材７が固定ワッシャ３と移動ワッシャ５とに接触して移動ワッシャおよびカバー体４の頭部１３方向への動きを規制するので弾性体６が規定値以上に歪ことがなく、従って、弾性体６は弾性機能が低下することがないのでそのままの状態で継続して使用することができることは勿論のこと、不要になって取り外した場合の再使用も可能である。
【００２３】
以上の本実施の形態によれば、構造物８，９を従来のボルトとナットと同様の操作で締め付けるだけで確実に連結することができるものであり、地震や、振動、衝撃などが加わったとしてもそれらの過負荷を吸収して、ボルトなどの緩みや損傷などを防止し、過負荷がなくなった後は再び元の状態に復帰するので締結状態を維持させることは言うまでもなく、一旦、取り外して再使用することも可能である。
【００２４】
更に、弾性体６を始めとして各部品がカバー体４内に収装されているので塵が水などの進入を防止できるので保守も簡単であり、耐久性にも優れており、外観も美麗であるし、突起なども露出していないので安全でもある。
【００２５】
尚、本実施の形態では、開口端縁を内方に向けてかしめることにより固定ワッシャ３の基端面３１へ係止する係止部４３を形成してカバー体４の開口端を固定ワッシャ３に係止する手段としたが、係止部を別部材とするなど（図示せず）、他の手段により基端面３１へ係止させてもよい。
【００２６】
本実施の形態では、弾性体６として複数枚の皿ばねを用いたので少ないスペースで大きな弾性力を発揮させることができるが、弾性体６はこれに限らず例えば他の形状の板ばねやコイルばねなど他の手段およびストロークを調整して用いても良いことは勿論であり、使用する箇所など、用途に応じて最適なものを適宜選択すればよい。
【００２７】
本発明は、全てを金属により形成することができ、充分な耐性を発揮させることができるが、特に、ステンレスやチタンなどのような耐性に優れた金属を用いることにより、或いはメッキや塗装などの表面処理を施すことにより耐久性に優れたものを提供することができる。
【００２８】
加えて、本実施の形態では、通常のナット２を用いたが、従来から使用されている各種の緩み止め機構付きのナット、脱落防止ナットなどを使用することにより、更に性能の向上と緩み防止による安全の確保を図ることができる。
【図面の簡単な説明】
【００２９】
【図１】本発明の好ましい実施の形態における分解図。
【図２】図１に示した実施の形態の使用状態を示す説明図。
【符号の説明】
【００３０】
１  ボルト、  ２  ナット、  ３  固定ワッシャ、  ４  カバー体、  ５  移動ワッシャ、  ６  弾性体、  ７  規制部材、  １１  軸体、  １２  螺締部、  １３  頭部、  １４  頭部底面、  Ｗ  緩衝ワッシャ
【図１】
2006052823.tif 000003
【図２】
2006052823.tif 000004